(57)【要約】【課題】ピストンを安定して冷却し得る内燃機関を提供する。【解決手段】ピストン１背面の吸気側又は排気側の何れか一方にピストンピン１９軸方向に延びる隆起部１２を設け、前記オイルジェット４は前記一方から前記隆起部１２に向けて当該隆起部１２から一方及び他方へ流れるようオイルを噴出していることを特徴とする。これにより、ストンピン１９等の動作に関わらず、オイルをピストン１へ隈無く行き渡らせることができ、安定したピストン１の冷却を実現する。【選択図】図１
2013155697.tif 000002
【特許請求の範囲】
【請求項１】
ピストン及び、当該ピストン背面に向けてオイルを噴出する単一のオイルジェットを備えた内燃機関において、
ピストン背面の吸気側又は排気側の何れか一方にピストンピンの軸方向に延びる隆起部を設け、
前記オイルジェットは前記一方から前記隆起部に向けて当該隆起部から一方及び他方へ流れるようオイルを噴出していることを特徴とする内燃機関。
【発明の詳細な説明】
【技術分野】
【０００１】
本発明は、ピストンを有する内燃機関に関するものである。
【背景技術】
【０００２】
従来、ピストンの下方にオイルジェットを有する内燃機関において、ピストンピンの軸線方向に交差する方向にピストンの背面にリブを突設することで、オイルが均一に分配され、ピストン背面を均一に冷却することができる技術が提案されている(例えば、特許文献１参照)。
【０００３】
上記先行技術では、ピストンの背面構造が複雑になり重量増を招いてしまう。また、供給されるオイルの量に差がある場合には、ピストン背面を均一に冷却するという点ではまだ改善の余地がある。
【先行技術文献】
【特許文献】
【０００４】
【特許文献１】実開平５−３８３４１号公報
【発明の概要】
【発明が解決しようとする課題】
【０００５】
本発明は、このような不具合に着目したものであり、ピストンを安定して冷却し得る内燃機関を提供することを目的としている。
【課題を解決するための手段】
【０００６】
本発明は、このような目的を達成するために、次のような手段を講じたものである。
【０００７】
すなわち本発明に係る内燃機関は、ピストン及び、当該ピストン背面に向けてオイルを噴出する単一のオイルジェットを備えた内燃機関において、ピストン背面の吸気側又は排気側の何れか一方にピストンピンの軸方向に延びる隆起部を設け、前記オイルジェットは前記一方から前記隆起部に向けて当該隆起部から一方及び他方へ流れるようオイルを噴出していることを特徴とする。
【０００８】
このようなものであれば、ピストンピン等の動作に関わらず、オイルをピストンへ隈無く行き渡らせることができ、安定したピストンの冷却を実現することが可能となる。
【発明の効果】
【０００９】
本発明によれば、安定したピストンの冷却を実現することが可能となるピストンを提供することができる。
【図面の簡単な説明】
【００１０】
【図１】本発明の一実施形態に係る要部の正断面図。
【図２】同平断面図。
【図３】同実施形態に係る動作説明図。
【図４】同実施形態の変形例に係る説明図。
【図５】同実施形態に係る他の変形例に係る説明図。
【発明を実施するための形態】
【００１１】
以下、本発明の一実施の形態について図面を参照して説明する。
【００１２】
本実施形態に係る内燃機関は、例えば自動車等に好適に用いられるものである。図１はシリンダボア２内で動作するピストン１を示している。当該ピストン１は同図では下死点（Ｐ）に位置した状態を示している。
【００１３】
しかして本実施形態に係る内燃機関は、ピストン１背面の吸気側又は排気側の何れか一方にピストンピン１９軸方向に延びる隆起部１２を設け、前記オイルジェット４は前記一方から前記隆起部１２に向けて当該隆起部１２から一方及び他方へ流れるようオイル５を噴出していることを特徴とする。
【００１４】
以下、当該内燃機関の具体的な構成について図１乃至図３に示して説明する。
【００１５】
ピストン１は、シリンダボア２内を図示で上下方向に動作するよう、ピストンピン１９を介してコンロッド３に支持されている。
【００１６】
ピストンピン１９の一端側にはオイルジェット４が配置されており、当該オイルジェット４は略上方にオイルを噴出するよう設定されている。
【００１７】
ピストン１は、内面側にオイルジェット４を配した一端側突起１２と、当該一端側突起１２に対し対照に設けられた他端側突起１４を形成してなる。
【００１８】
具体的に説明すると、ピストン１は、一端側突起１２及び他端側突起１４よりも端部おいてそれぞれ凹状のスキッシュ１１が設けられている。そして本実施形態では、この一端側突起１２及び他端側突起１４の間には半筒状に凹ませて形成された凹部１３が形成されている。
【００１９】
そして、ピストン１の動作とオイルジェット４によるオイルの挙動について説明する。まずピストン１が下死点（Ｐ）にあるときには、オイルジェット４は図３下部に示されるように一端側突起１２の一傾斜面１２ａを伝い、稜線１２ｃを超えずに一端側のスキッシュ１１へオイルが誘導される。他方、ピストン１が上死点へ（Ｑ）と移動する課程で、オイルジェット４からのオイル５は一端側突起１２の他傾斜面１２ｂにあたり、当該他傾斜面１２ｂを伝い、さらには凹部１３を経て、他端側突起１４に達する。そして他端側突起１４では、一部のオイルが一傾斜面１４ａを超えずに凹部１３にとどまる一方、他端側突起１４の位置傾斜面１４ａから稜線１４ｃを超えて他傾斜面１４ｂを経て他方のスキッシュ１１へと届くことになる。つまり、オイルジェット４からのオイル５はピストン１内面を隈無く循環する。
【００２０】
また、オイルが一端側突起１２ならびに他端側突起１４の頂部から下方へ落下するオイルは、ピストンピン１９の潤滑にも資する。
【００２１】
以上のように、ピストンピン１９等の動作に関わらず、オイル５をピストン１へ隈無く行き渡らせることができ、安定したピストン１の冷却を実現することが可能となる。
【００２２】
＜変形例＞
以下に、本実施形態の変形例について説明するが、これら変形例について、上記実施形態に相当する構成要素については同じ符号を付すとともに、その詳細な説明を省略する。
【００２３】
図４は、上記実施形態に加え、隆起部１２に対応させるべき位置の肉厚を均一に設けた均一肉厚部１５を形成した態様を示している。このようなものであれば、ピストン１のさらなる軽量化に資する。
【００２４】
そして図５は、オイルジェット４を設けた側のみに隆起部１２を設け、他方に平坦部１６を設けた態様を示している。このようなものであっても、上記実施形態同様、オイル５の良好な潤滑に資する。
【００２５】
以上、本発明の実施形態について説明したが、各部の具体的な構成は、上述した実施形態のみに限定されるものではなく、本発明の趣旨を逸脱しない範囲で種々変形が可能である。
【００２６】
例えば、上記実施形態ではオイルジェットが一端側のみにある態様を開示したが、勿論、他端側のみにオイルジェットが設けられ態様としたものであってもよい。
【００２７】
その他、各部の具体的構成についても上記実施形態に限られるものではなく、本発明の趣旨を逸脱しない範囲で種々変形が可能である。
【産業上の利用可能性】
【００２８】
本発明はピストンを有する内燃機関として利用することができる。
【符号の説明】
【００２９】
１…ピストン
Ｐ…下死点
Ｑ…上死点
【図１】
2013155697.tif 000003
【図２】
2013155697.tif 000004
【図３】
2013155697.tif 000005
【図４】
2013155697.tif 000006
【図５】
2013155697.tif 000007